(57)【要約】【課題】  所定投写面の状態に対応した、見やすい投写表示を行うための色補正テーブルの生成を、迅速、且つ簡単に行うことができる色補正機能を備えるプロジェクタを提供する。【解決手段】  プロジェクタ１０は、投写面からの反射光の色成分の反射特性を測定する光センサ１１０と、光センサ１１０が測定した反射光の反射特性に基づき色補正テーブルを生成する色補正テーブル生成部６０と、画像入力装置１００から入力された画像データを、色補正テーブル生成部６０で生成された色補正テーブルに基づき補正する色補正部３０と、を備え、投写された画像の基準投写面の色成分の反射特性と、プロジェクタの光源を点灯した直後に投写される画像データの所定投写面２００の色成分の反射特性と、に基づいて色補正テーブルが生成される。【選択図】      図１
2005236528.tif 000002
【特許請求の範囲】
【請求項１】
画像入力装置から入力された画像データの色補正をして投写面に投写する色補正機能を備えるプロジェクタであって、
前記投写面からの反射光の色成分の反射特性を測定する光センサと、
前記光センサが測定した前記反射光の反射特性に基づき色補正テーブルを生成する色補正テーブル生成部と、
前記画像入力装置から入力された画像データを、前記色補正テーブルで生成された色補正テーブルに基づき補正する色補正部と、を備え、
投写された画像の基準投写面の色成分の反射特性と、プロジェクタの光源を点灯した直後に投写される画像データの所定投写面の色成分の反射特性と、に基づいて前記色補正テーブルが生成されることを特徴とする色補正機能を備えるプロジェクタ。
【請求項２】
請求項１に記載の色補正機能を備えるプロジェクタにおいて、
前記プロジェクタの光源を点灯した直後に投写される画像データが、赤（Ｒ）、緑（Ｇ）、青（Ｂ）のそれぞれ単色を含む画像であり、
これらの三色光の画像が順次切換えられて前記所定投写面に投写され、それぞれの色成分の反射特性に対応して色補正テーブルが生成されることを特徴とする色補正を備えるプロジェクタ。
【請求項３】
請求項１に記載の色補正機能を備えるプロジェクタにおいて、
前記プロジェクタの光源を点灯した直後に投写される画像データが白色光を含む画像であり、
当該白色光画像が前記所定投写面に投写され、この投写された画像の色成分の反射特性に対応した色補正テーブルが生成されることを特徴とする色補正機能を備えるプロジェクタ。
【請求項４】
請求項１ないし請求項３のいずれか一項に記載の色補正機能を備えるプロジェクタにおいて、
前記プロジェクタの光源を点灯した直後に投写される画像データがロゴタイプであることを特徴とする色補正機能を備えるプロジェクタ。
【発明の詳細な説明】
【技術分野】
【０００１】
本発明は、出力画像に対する投写面の影響を小さくし、所定投写面に対応して、所望の色の見やすい画像を得ることができる色補正機能を備えるプロジェクタに関する。
【背景技術】
【０００２】
プロジェクタなどの投写型画像表示装置では、スクリーンなどの投写面が異なるとその色によって投写画像の色が変化して、投写された画像の見え方が変わってしまっていた。即ち、投写面の色が変わることを考慮しなければ適切な色の再現を行うことは困難であった。
従来、このような課題を解決するために、プロジェクタからの出力の所定投写面による色成分毎の反射特性と、プロジェクタからの出力の基準投写面による色成分毎の反射特性との差を解消する補正カーブを用いて、入力画像データを補正するプロジェクタが知られている（例えば、特許文献１）。
【０００３】
【特許文献１】特開２００２−９４８２２号公報（第９頁、図３）
【発明の開示】
【発明が解決しようとする課題】
【０００４】
このような特許文献１では、プロジェクタのランプを点灯してから、ユーザーがプロジェクタを操作して、所定投写面に色補正のための専用画像データを投写し、その反射光の色特性を測定し、基準投写面の色特性との差を補正してから入力画像を補正しているため、ユーザーの手を煩わせると共に、入力画像の投写までの時間がかかり、時間的無駄が生じるという課題が考えられた。
【０００５】
本発明の目的は、所定投写面の状態に対応した、見やすい投写表示を行うための色補正テーブルの作成を迅速かつ簡単に行うことができる色補正機能を備えるプロジェクタを提供することである。
【課題を解決するための手段】
【０００６】
本発明の色補正機能を備えるプロジェクタは、画像入力装置から入力された画像データの色補正をして投写面に投写する色補正機能を備えるプロジェクタであって、前記投写面からの反射光の色成分の反射特性を測定する光センサと、前記光センサが測定した前記反射光の反射特性に基づき色補正テーブルを生成する色補正テーブル生成部と、前記画像入力装置から入力された画像データを、前記色補正テーブルで生成された色補正テーブルに基づき補正する色補正部と、を備え、投写された画像の基準投写面の色成分の反射特性と、プロジェクタの光源を点灯した直後に投写される画像データの所定投写面の色成分の反射特性と、に基づいて前記色補正テーブルを生成することを特徴とする。
【０００７】
ここで、画像入力装置としては、パーソナルコンピュータやビデオプレーヤー、メモリカード等の記憶媒体を採用することができる。
また、基準投写面とは、例えば、標準拡散板などの可視光領域の反射率１に近いものが選択される。所定投写面とは、画像入力装置から入力された画像データを投写する会議室などに設置されたスクリーンや壁等を示す。
さらに、プロジェクタの光源を点灯した直後に投写される画像データとは、プロジェクタに保存されている画像データを示す。
【０００８】
プロジェクタを使用してプレゼンテーションを行うとき、例えば、会議室などのスクリーンや、壁に画像データを投写する場合、基準投写面とは異なる色、表面状態などの投写面が使用されることが考えられるが、この発明によれば、プロジェクタを起動して光源（ランプ）を点灯した際に、光センサによって、所定投写面に投写された画像データの反射光を取り入れ、この反射光の色成分の反射特性と、基準投写面の色成分の反射特性との差を解消するように色補正テーブルを生成し、画像入力装置から入力される画像データの色補正を行うため、基準投写面に投写された画像に近い色の見やすい画像を投写することができる。
【０００９】
また、前述の構成において、例えば、基準投写面の色成分の反射特性は、プロジェクタを使用する前に予め測定してあり、ユーザーが都度測定をする必要はなく、所定投写面における色成分の反射特性は、プロジェクタを起動（ランプ点灯）した際に測定され、色補正テーブルが生成、更新されて、画像入力装置から画像データが投写される際には、この色補正テーブルに基づき所定投写面に対応した画像が投写されるため、画像入力装置から入力された画像を所定投写面に投写してから色特性の補正を行う従来のプロジェクタに比べ、プレゼンテーションが可能になるまでの時間を短縮することができる。また、前述した所定投写面における色成分の反射特性の測定、色補正、画像データの投写までの一連の動作は、プロジェクタを起動してから連続して自動的に行われるため、ユーザーが、色補正等の煩わしい操作を不要にできるという効果がある。
【００１０】
また、前記プロジェクタの光源を点灯した直後に投写される画像が、赤（Ｒ）、緑（Ｇ）、青（Ｂ）のそれぞれ単色を含む画像であり、これらの三色光の画像データが順次切換えられて所定投写面に投写され、それぞれの色成分の反射特性に対応して色補正テーブルが生成されることが好ましい。
【００１１】
この発明によれば、光の３原色であるＲ，Ｇ，Ｂそれぞれの色成分の反射特性を測定し、色補正テーブルが生成され、色補正が行われるため、画像入力装置から入力される様々な色調の画像データの色補正をすることができ、基準投写面に投写される画像に近い、見やすい投写画像を見ることができる。
なお、Ｒ，Ｇ，Ｂを順次測定した場合であっても、上述の色補正に要する時間は、３秒程度でできることが実験において確認されているため、実際のプレゼンテーション場面において影響を与えない程度の時間である。
【００１２】
また、本発明の色補正機能を備えるプロジェクタは、前記プロジェクタの光源を点灯した直後に投写される画像データが白色光を含む画像であり、当該白色光画像が前記所定投写面に投写され、この投写された画像の色成分の反射特性に対応した色補正テーブルが生成されることが好ましい。
【００１３】
この発明によれば、所定投写面に投写される画像データが白色光であるため、前述のＲ，Ｇ，Ｂそれぞれに対応して色補正をする場合に比べ、白色光の１色だけで補正が行われるため、さらに短時間でプレゼンテーションを開始することができる。
【００１４】
さらに、本発明によれば、前記プロジェクタの光源を点灯した直後に投写される画像データがロゴタイプであることが望ましい。（ロゴタイプは以降、ロゴに略称することもある。）
【００１５】
ここで、ロゴタイプとは、プレゼンテーションを行うユーザーの会社名、商標、商品名などをデザインして表示されるものをさし、直近、市販されているプロジェクタにおいて、プロジェクタを起動（ランプを点灯）する都度、このロゴタイプが、自動的に投写されるものがある。また、これらのロゴタイプは、ユーザーが別の記憶媒体等に保存しておき、自在に選択して、そのロゴを投写することができる。
【００１６】
従って、このようにすれば、色補正を行うための専用の画像データを用意する必要がなく、プロジェクタ起動時に投写されるロゴタイプを色補正用画像データとして使用することで、ユーザーがプロジェクタや画像入力装置を操作することなく、見やすい投写画像を得ることができる。
【発明を実施するための最良の形態】
【００１７】
以下、本発明の好適な実施の形態について図面を参照して説明する。
図１には、本発明の実施形態の色補正機能を備えるプロジェクタの概略説明図が示され、図２〜図４には、色補正に係わるフローチャートが示されている。
【実施例１】
【００１８】
図１〜図３には実施例１の色補正機能を備えるプロジェクタが示されている。
図１は、本実施例１の概略構成を示すブロック図である。図１において、本発明の実施例１に係るプロジェクタ１０は、パーソナルコンピュータ、メモリカード、ビデオプレーヤー等の画像入力装置１００から画像入力信号を画質調整ＩＣ２０に内蔵される色調に関する補正を行う色補正部（３Ｄ−ＬＵＴ）３０と、色補正部３０において適正に補正された画像データに基づき、液晶ライトバルブ（以降、Ｌ／Ｖと略称する）８０を駆動して画像の投写表示を行うＬ／Ｖ（ライトバルブ）駆動部７０と、このＬ／Ｖ駆動部７０からの画像信号に基づき画像を出力するＬ／Ｖ８０と、投写面（スクリーン）２００に画像を投写する投写光学系（投写レンズ）８５と、から構成されている。
【００１９】
さらには、後述する色補正テーブル生成に必要なマトリクスを保存するためのＥＥＰＲＯＭ（Ｅｌｅｃｔｒｉｃａｌｌｙ  ＥＰＲＯＭ）などの記憶装置５５と、所定のスクリーン、壁等の投写面２００に投写されているロゴ投写部２１０の反射光を取り入れ、色成分の反射特性を測定するための光センサ１１０と、記憶装置５５に保存されている基準投写面における色成分の反射特性と光センサ１１０の測定値とに基づき、投写面の色や表面状態を考慮した色補正テーブルを生成する色補正テーブル生成部６０と、を備えて構成されている。
【００２０】
また、光センサ１１０は、ＣＣＤ（Ｃｈａｒｇｅ  Ｃｏｕｐｌｅｄ  Ｄｅｖａｃｅｓ）センサを採用し、レンズと光学フィルタ（図示しない）とを備えており、分光反射率測定に必要な分光放射分布、反射光の階調特性を記録し、ＸＹＺ値変換部５０にそのデータが入力される。光センサ１１０から出力される電圧値をＸＹＺ値にＸＹＺ値変換部５０で変換される。光センサ１１０の出力電圧値からＸＹＺ値を求めるためには、変換用のマトリクスが必要になる。これらのマトリクスは、プロジェクタ１０を使用する前、普通はプロジェクタを出荷する前に測定したデータを元に生成され、記憶装置５５に保存されている。
前述の色補正テーブル生成部６０とＸＹＺ値変換部５０とは、ＣＰＵ４０に格納されている。
【００２１】
なお、本発明によるプロジェクタ１０では、画像入力装置１００から供給される画像入力信号がアナログ形式の場合、画質調整ＩＣ２０の前にＡ／Ｄ変換部を備え（図示しない）、デジタル信号に変換される。このデジタル画像信号は、色補正部３０が色補正テーブル生成部６０によって生成される色補正テーブルを参照することによって投写面の状態を考慮した所望の色補正がなされる。
【００２２】
色補正されたデジタル画像信号は、Ｄ／Ａ変換部（図示しない）によってアナログ信号に変換される。Ｌ／Ｖ駆動部は７０は、当該変換されたアナログ画像信号に基づき、Ｌ／Ｖ８０を駆動して投写光学系（投写レンズ）８５から画像の投写表示を行い、投写画像２２０が得られる。
【００２３】
本発明のプロジェクタ１０は、起動（ランプ点灯）した直後に、プロジェクタ１０に予め保存されている画像データを投写するオンスクリーン表示制御部９０をさらに備えている。オンスクリーン表示制御部９０によって投写される画像は、プレゼンテーションを行うユーザーの会社名、商標、商品名などをデザインして表示されるロゴタイプが多く、このロゴタイプは、ユーザーが別の記憶媒体などを使用し、プロジェクタ１０に入力し、保存しておくことができる。この際、ロゴタイプは、正確に反射特性を測定するために白色単色で作成することが好ましい。このロゴ投写部２１０の反射光を光センサ１１０で取り入れ色補正が行われる。
【００２４】
次に、本発明の実施例１に係るプロジェクタ１０の色補正の動作について図２、図３を参照して説明する。
なお、以下に説明する色補正テーブルの生成、書き込みなどの処理は、プロジェクタ１０のプログラム格納部（図示しない）に記録された画像処理プログラムを実行することにより行われる。
【００２５】
図２には、プロジェクタ１０の初期設定について説明するフローチャートが示されている。これは、基準投写面及び標準光センサにおける基準テーブルを作成するステップを示し、プロジェクタ出荷前に行われる。
まず、本発明のプロジェクタ１０の使用に先立ち、暗室内でプロジェクタ１０を起動し、光源を点灯させ（ＳＴ１）、基準投写面にＲ，Ｇ，Ｂ，ｂｋ（黒）の各色を投写させる（ＳＴ２）。このプロジェクタ出力の基準投写面における反射光の反射特性を光センサ１１０で測定し、光センサ１１０からの出力電圧値（ＭＬＳ）と、この電圧値をＸＹＺ値変換部５０で変換されたＸＹＺ値とのデータ対のマトリクスを生成し、記憶装置５５に格納しておく（ＳＴ３）。次に、生成されたマトリクスに基づき、基準となるテーブルの生成・記憶処理が行われる（ＳＴ４）。
【００２６】
続いて、図３を参照して、本発明の実施例１に係るプロジェクタ１０の所定の投写面２００における投写画像の色補正について説明する。
図３は、所定の投写面における色補正の動作を示すフローチャートである。図３において、まず、プロジェクタ１０の電源をＯＮし、光源を点灯させる（ＳＴ２１）。この際、予めプロジェクタ１０に保存されていたロゴがオンスクリーン表示制御部９０によって所定の投写面２００に表示される（ＳＴ２２）。ロゴは白色光で投写される。このロゴ表示の反射光を光センサ１１０で取り込み（ＳＴ２３）、反射特性を測定する（ＳＴ２４）。
【００２７】
光センサ１１０では、反射光の３刺激値ＬＭＳを電圧で出力し、ＸＹＺ値変換部５０によりＸＹＺ値に変換される。ここで、先述した（図２、参照）ように、予め初期設定され記憶装置に保存されているプロジェクタ１０のマトリクスに基づいて初期設定された基準テーブルに近づけるように、色補正値を計算処理して、新たな色補正テーブルの生成・書換処理が行われる（ＳＴ２５）。色補正テーブルの生成・書換処理が終了すると、所定の投写面２００の状態に合わせた良好な色に色補正された画像入力装置１００からの画像データに切換えられて（ＳＴ２６）、その画像データが所定の投写面２００に投写される（ＳＴ２７）。
【００２８】
従って、本実施例１では、プロジェクタ１０を起動して光源（ランプ）を点灯した際に、光センサ１１０によって、所定投写面２００に投写された画像データの反射光を取り入れ、この反射光の色成分の反射特性と、基準投写面の色成分の反射特性との差を解消するように色補正テーブルを生成し、画像入力装置１００から入力される画像データの色補正を行うため、基準投写面に投写された画像に近い色の見やすい画像を投写することができる。
【００２９】
また、画像入力装置１００から入力される画像データが投写される基準投写面の色成分の反射特性は、プロジェクタ１０を使用する前に予め測定してあり、プレゼンテーション時にプロジェクタ１０を起動（ランプ点灯）した際の所定の投写面２００に投写されたロゴの色成分の反射特性を測定して、色特性の補正を行うため、画像入力装置１００から入力された画像データを所定投写面２００に投写してから色特性の補正を行う従来のプロジェクタに比べ、プレゼンテーションが可能になるまでの時間を短縮することができる。
【００３０】
本実施例１によるプロジェクタ１０において、前述したロゴは、ユーザーが別の記憶媒体などを使用してプロジェクタ１０に入力し、保存しておくことができ、そこからロゴを自在に選択して投写することができる。
【００３１】
従って、このようにすれば、色補正を行うための専用の画像データを用意する必要がなく、プロジェクタ起動時にオンスクリーン表示制御部９０によって自動的に投写されるロゴを色補正用画像データとして使用することで、ユーザーがプロジェクタや画像入力装置を操作することなく、色補正されることで、見やすい投写画像を得ることができる。
【００３２】
また、前述の実施例１によれば、所定投写面に投写される画像データが白色光であるため、Ｒ，Ｇ，Ｂそれぞれに対応して色補正をする場合に比べ、入力される様々な色調に対する色補正能力は若干劣るものの、Ｒ，Ｇ，Ｂそれぞれのバランスがとれた、見やすい投写画像を見ることができる。また、白色光の１色だけで補正が行われるため、さらに短時間でプレゼンテーションを開始することができる。
【００３３】
さらに、ロゴの投写は、プロジェクタ１０を起動して光源を点灯する毎に行われ、その都度変化することが考えられる投写面の状態に対応した所望の色画像を得ることができ、例えば、プレゼンテーションの場所や、投写面を変更しても、特別の操作を行うことなく、最良の画面を見ることができるという効果がある。従って、このような色補正機能を備えるプロジェクタ１０は、ユーザーの操作が不要なうえ、移動して使用するモバイル型のプロジェクタにとって特に効果が大きい。
また、プレゼンテーションを開始するときに、色補正のためのパターン画像を投写して、色補正作業をしなくてもよいため、会場の視聴者に気づかれないうちに、最適な画像を投写することができる。
【実施例２】
【００３４】
次に、本発明の実施例２について図面を参照して説明する。
実施例２は、オンスクリーン表示制御部９０から出力される投写画像が、Ｒ，Ｇ，Ｂの３色であるところに特徴を有する。
図４は、実施例２に係るプロジェクタ１０の所定の投写面２００における投写画像の色補正について説明するフローチャートを示す。なお、図１、図２も参照して説明する。プロジェクタ１０は、実施例１（図２、参照）と同様に基準投写面における初期設定が行われている。
【００３５】
図４において、まず、プロジェクタ１０の電源をＯＮし、光源を点灯させる（ＳＴ５１）。この際、予めプロジェクタ１０に保存されていたロゴがオンスクリーン表示制御部９０によって所定の投写面２００に表示されるが、ロゴ表示は、Ｒ（ＳＴ５２）、Ｇ（ＳＴ５３）、Ｂ（ＳＴ５４）の順に表示され、それぞれの色のロゴ表示毎に、それらの反射光の色調の反射特性を測定し（ＳＴ６０）、記憶部に記憶される（ＳＴ６１）。
【００３６】
光センサ１１０では、反射光の３刺激値ＬＭＳを電圧で出力し、ＸＹＺ値変換部５０によりＸＹＺ値に変換される。ここで、先述したように、予め初期設定され記憶装置に保存されている変換用のマトリクスに基づき、プロジェクタ１０の基準テーブルに近付けるように、色補正値を計算処理して、新たな色補正テーブルの生成・書換処理が行われる（ＳＴ６５）。色補正テーブルの生成・書換処理が終了すると、ロゴ表示から所定の投写面２００の状態に合わせた良好な色に色補正された画像入力装置１００からの画像データに切換えられて（ＳＴ６６）、画像データが所定の投写面２００に表示される（ＳＴ６７）。
【００３７】
従って、前述した実施例２によれば、光の３原色であるＲ，Ｇ，Ｂそれぞれの色成分の反射特性を測定し、色補正が行われるため、画像入力装置１００から入力される様々な色調の画像データの色補正を適正に行うことができ、見やすい投写画像を見ることができる。
なお、ロゴの投写色は、Ｒ，Ｇ，Ｂの順に限定されるものではなく、自在に順番を設定することができる。また、Ｒ，Ｇ，Ｂの他にｂｋ（黒）を加えてもよい。
【００３８】
なお、本発明は前述の実施例に限定されるものではなく、本発明の目的を達成できる範囲の変形、改良等は本発明に含まれるものである。
例えば、前述の実施例では、プロジェクタの電源をＯＮした時に、ロゴが表示され、反射光を取り入れ、測定、色補正テーブルの生成・書き込み処理、色補正、及び画像入力装置１００から入力された画像が色補正されて投写されるという一連の動作が自動的に行われているが、この動作は、その都度、動作入力ボタン等の入力装置を操作して行うことができる。このような場合、上述の個々の動作を確認しながら次のステップに移行することができる。
【００３９】
また、前述の実施例では、プロジェクタ１０の光源を点灯した後に投写される画像はロゴタイプとしたが、この画像はロゴタイプに限らず、ユーザーが自在に選択した画像であってもよい。さらに、このロゴタイプの投写光は、白色光、またはＲ，Ｇ，Ｂが色補正を行うには、最も適しているが、これも限定されるものではなく、所定の投写面の状態に合わせて選択することができる。
さらに、前述の実施例では、ロゴは単色で投写しているが、一つのロゴの中にＲ，Ｇ，Ｂの各色を分割して構成し、その各色の位置を認識して反射特性を測定しても良い。これにより、一枚の画像で各色の反射特性を測定できるので、より早く、且つ補正特性のよい色テーブルの生成ができる。
【００４０】
この他、前述の実施例では、液晶ライトバルブを使用したプロジェクタを例にして説明しているが、これに限定されるものではなく、マイクロミラーなどを使用したプロジェクタにおいても前述した色補正の実施により同様な効果が得られる。
【００４１】
従って、前述の実施例１、実施例２によれば、プロジェクタ１０が起動した際に投写されるロゴの色成分の反射特性を測定し、画像データの色補正を自動的に行い、所定の投写面２００の状態に対応した、所望の色調の見やすい投写表示を行うことができる色補正機能を備えるプロジェクタを提供することができる。
【図面の簡単な説明】
【００４２】
【図１】本発明の実施例１に係るプロジェクタの概略構成を示すブロック図。
【図２】本発明の実施例１に係るプロジェクタの初期設定時の動作を示すフローチャート。
【図３】本発明の実施例１に係るプロジェクタの所定投写面における色補正の動作を示すフローチャート。
【図４】本発明の実施例２に係るプロジェクタの所定投写面における色補正の動作を示すフローチャート。
【符号の説明】
【００４３】
１０…プロジェクタ、３０…色補正部、５０…ＸＹＺ値変換部、６０…色補正テーブル生成部、７０…Ｌ／Ｖ駆動部、８０…Ｌ／Ｖ、９０…オンスクリーン表示制御部、１００…画像入力装置、１１０…光センサ、２００…投写面、２１０…ロゴ投写部。
【図１】
2005236528.tif 000003
【図２】
2005236528.tif 000004
【図３】
2005236528.tif 000005
【図４】
2005236528.tif 000006